(57)【要約】【課題】映像信号の有無の検出精度を高め、安定した動作と消費電力の削減とを両立させる。【解決手段】１フレーム前の入力映像信号と現在の入力映像信号とを比較し表示画像が動画か静止画かを判定する動き検出回路７１と、入力映像信号の信号レベルとあらかじめ定めたしきい値とを比較し表示画像が全面黒かどうかを判定する信号レベル検出回路７２と、全放電セルに対する点灯すべき放電セルの割合を検出する点灯率検出回路７３と、入力映像信号が外部から入力されたものかどうかを判定する外部入力検出回路７４と、動き検出回路、信号レベル検出回路、点灯率検出回路、外部入力検出回路における判定結果にもとづき映像信号の有無を判断する判定回路７６とを有する映像信号検出回路５１を備え、映像信号検出回路が映像信号が無いと判断したときには、初期化期間に発生させる傾斜波形電圧の最大電圧を低下させる。【選択図】図５
2009145543.tif 000002
【特許請求の範囲】
【請求項１】
初期化期間において緩やかに上昇する傾斜波形電圧をプラズマディスプレイパネルの走査電極に印加する走査電極駆動回路と、
１フレーム前の入力映像信号と現在の入力映像信号とを比較し表示画像が動画か静止画かを判定する動き検出回路と、入力映像信号の信号レベルとあらかじめ定めたしきい値とを比較し表示画像が全面黒かどうかを判定する信号レベル検出回路と、全放電セルに対する点灯すべき放電セルの割合を検出する点灯率検出回路と、入力映像信号が外部から入力されたものかどうかを判定する外部入力検出回路と、前記動き検出回路および前記信号レベル検出回路および前記点灯率検出回路および前記外部入力検出回路における判定結果にもとづき映像信号の有無を判断する判定回路とを有する映像信号検出回路とを備え、
前記走査電極駆動回路は、前記映像信号検出回路において映像信号が無いと判断されたときに、その他の場合に比べて前記傾斜波形電圧の最大電圧を低下させて発生するように構成したものであることを特徴とするプラズマディスプレイ装置。
【請求項２】
前記映像信号検出回路は、入力音声信号の信号レベルとあらかじめ定めたしきい値とを比較し無音声かどうかを判定する音声レベル検出回路を有し、かつ
前記判定回路は、前記音声レベル検出回路における判定結果を加えて映像信号の有無を判断するように構成したことを特徴とする請求項１に記載のプラズマディスプレイ装置。
【発明の詳細な説明】
【技術分野】
【０００１】
本発明は、壁掛けテレビや大型モニターに用いられるプラズマディスプレイ装置に関するものであり、映像入力が無信号の時に消費電力を低減させる技術に関するものである。
【背景技術】
【０００２】
プラズマディスプレイパネル（以下、「パネル」と略記する）として代表的な交流面放電型パネルを用いたプラズマディスプレイ装置は、視野角が広く大画面化が容易であり、かつ自発光型であり画像表示品質が高いこと等から、大画面画像表示装置の主流となりつつある。
【０００３】
パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。そして、パネルは、画像表示を行う画像表示領域とそれ以外の非表示領域とに分けられ、各電極はそれぞれの電極を前面板または背面板の画像表示領域外、すなわち非表示領域まで引き出して形成した引き出し部を備え、その引き出し部に駆動電圧を印加することで各電極を駆動する。
【０００４】
このような構成のパネルを用いたプラズマディスプレイ装置は、表示電極対に交互に維持パルスを印加して各放電セル内でガス放電を発生させ、このガス放電により発生した紫外線で赤色、緑色および青色の各色の蛍光体を励起発光させてカラー画像表示を行っている。
【０００５】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００６】
各サブフィールドは、初期化期間、書込み期間および維持期間を有し、初期化期間では初期化放電を発生し、続く書込み動作に必要な壁電荷を各電極上に形成する。書込み期間では、表示を行うべき放電セルに選択的に書込みパルス電圧を印加して書込み放電を発生させ壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００７】
近年においては、パネルの大画面化、高輝度化にともない、パネル駆動時の消費電力がますます増加している。そのため、消費電力を低減することの重要性がさらに高まってきている。
【０００８】
消費電力を低減させる技術の１つに、映像信号の無信号状態を検出してパネルの駆動を停止させる技術が提案されている（例えば、特許文献１参照）。この技術では、水平同期信号や垂直同期信号等の映像同期信号の有無を検出することで映像信号の有無を判断し、映像信号が無いと判断したときには、パネルの駆動を停止して消費電力を削減する。
【特許文献１】特開２００２−３１８８９号公報
【発明の開示】
【発明が解決しようとする課題】
【０００９】
近年では、光ディスクや磁気テープ等の映像信号再生装置（以下、単に「再生装置」と記す）の普及が進み、それらの再生装置をプラズマディスプレイ装置に接続し、再生映像をパネルに表示して鑑賞するといった使用が一般的となっている。
【００１０】
しかしながら、再生装置によっては、再生映像信号が無いときでも同期信号を出力するものがある。特許文献１に記載された技術では、同期信号の有無を検出して映像信号の有無を判断しているため、そのような再生機器を接続して使用する場合に、実際には映像信号が無いにもかかわらず映像信号が有るものと判断して通常動作を行ってしまうことがあった。
【００１１】
また、駆動を完全に止めてしまうと、駆動を再開して動作が安定するまでにある程度の時間がかかるため、映像信号が無い状態から映像信号が有る状態に変化したときに、即座に安定した画像表示を行うことが難しい。
【００１２】
本発明は、これらの問題に鑑みなされたものであり、映像信号の有無の検出精度を高め、安定した動作と消費電力の削減とを両立させることができるプラズマディスプレイ装置を提供することを目的とする。
【課題を解決するための手段】
【００１３】
この課題を解決するために、本発明のプラズマディスプレイ装置は、初期化期間において緩やかに上昇する傾斜波形電圧をパネルの走査電極に印加する走査電極駆動回路と、１フレーム前の入力映像信号と現在の入力映像信号とを比較し表示画像が動画か静止画かを判定する動き検出回路と、入力映像信号の信号レベルとあらかじめ定めたしきい値とを比較し表示画像が全面黒かどうかを判定する信号レベル検出回路と、全放電セルに対する点灯すべき放電セルの割合を検出する点灯率検出回路と、入力映像信号が外部から入力されたものかどうかを判定する外部入力検出回路と、動き検出回路および信号レベル検出回路および点灯率検出回路および外部入力検出回路における判定結果にもとづき映像信号の有無を判断する判定回路とを有する映像信号検出回路とを備え、走査電極駆動回路は、映像信号検出回路において映像信号が無いと判断されたときに、その他の場合に比べて傾斜波形電圧の最大電圧を低下させて発生するように構成したものであることを特徴とする。
【００１４】
この構成により、映像信号の有無の検出精度を高め、安定した動作と消費電力の削減とを両立させることができるプラズマディスプレイ装置を実現することが可能となる。
【００１５】
また、本発明のプラズマディスプレイ装置において、映像信号検出回路は、入力音声信号の信号レベルとあらかじめ定めたしきい値とを比較し無音声かどうかを判定する音声レベル検出回路を有し、かつ、判定回路は、音声レベル検出回路における判定結果を加えて映像信号の有無を判断するように構成したことを特徴とする。これにより、例えば、映像信号が無いと誤判断されてしまうような非常に暗い映像が連続して表示されるような場合であっても、音声を検出した場合には映像信号が有ると判断することができるようになるので、映像信号の有無の検出精度をさらに高めることが可能となる。
【発明の効果】
【００１６】
本発明によれば、プラズマディスプレイ装置において、映像信号の有無の検出精度を高め、安定した動作と消費電力の削減とを両立させることが可能となる。
【発明を実施するための最良の形態】
【００１７】
以下、本発明の実施の形態におけるプラズマディスプレイ装置について、図面を用いて説明する。
【００１８】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００１９】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２０】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２１】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２２】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２３】
図２は、本発明の実施の形態１におけるパネル１０の電極配列図である。パネル１０には、行方向に延長されたｎ本の走査電極ＳＣ１〜ＳＣｎ（図１の走査電極２２）およびｎ本の維持電極ＳＵ１〜ＳＵｎ（維持電極２３）を配列し、列方向に延長されたｍ本のデータ電極Ｄ１〜Ｄｍ（図１のデータ電極３２）を配列している。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電空間内に形成される放電セルの数量はｍ×ｎ個となる。
【００２４】
次に、パネル１０を駆動するための駆動電圧波形とその動作の概要について説明する。本実施の形態におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００２５】
図３は、本発明の実施の形態１におけるパネル１０の各電極に印加する駆動電圧波形図である。図３には、２つのサブフィールドの駆動電圧波形、すなわち全ての放電セルに対し初期化動作を行うサブフィールド（以下、「全セル初期化サブフィールド」と呼称する）と、選択的に初期化動作を行うサブフィールド（以下、「選択初期化サブフィールド」と呼称する）とを示しているが、ここでは、全セル初期化サブフィールドについて説明を行う。なお、他のサブフィールドにおける駆動電圧波形もほぼ同様である。また、以下における走査電極ＳＣｉ、維持電極ＳＵｉ、データ電極Ｄｋは、各電極の中から画像データにもとづき選択された電極を表す。
【００２６】
全セル初期化サブフィールドである第１ＳＦの初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧（以下、「上りランプ波形電圧」と呼称する）を印加する（以下、走査電極ＳＣ１〜ＳＣｎに印加する上りランプ波形電圧の最大値を「初期化電圧Ｖｉ２」として引用する）。
【００２７】
この上りランプ波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００２８】
初期化期間後半部では、維持電極ＳＵ１〜ＳＵｎには正の電圧Ｖｅ１を印加し、データ電極Ｄ１〜Ｄｍには０（Ｖ）を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００２９】
ここで、本実施の形態においては、この初期化電圧Ｖｉ２の電圧値を、映像信号の有無にもとづき、２つの異なる電圧値で切換える構成としている。この詳細については後述するが、以下、電圧値の高い方をＶｉ２Ｈと記し、電圧値の低い方をＶｉ２Ｌと記す。
【００３０】
続く書込み期間では、まず維持電極ＳＵ１〜ＳＵｎに電圧Ｖｅ２を、走査電極ＳＣ１〜ＳＣｎに電圧Ｖｃを印加する。
【００３１】
そして、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。これにより、データ電極Ｄｋと走査電極ＳＣ１との間に放電が発生する。また、この放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３２】
以上の書込み動作をｎ行目の放電セルに至るまで行い、書込み期間が終了する。
【００３３】
続く維持期間では、まず走査電極ＳＣ１〜ＳＣｎに正の維持パルス電圧Ｖｓを印加するとともに維持電極ＳＵ１〜ＳＵｎにベース電位となる接地電位、すなわち０（Ｖ）を印加する。すると書込み放電を起こした放電セルでは、走査電極ＳＣｉと維持電極ＳＵｉとの間に維持放電が起こり、このとき発生した紫外線により蛍光体層３５が発光する。書込み期間において書込み放電が起きなかった放電セルでは維持放電は発生せず、初期化期間の終了時における壁電圧が保たれる。
【００３４】
以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００３５】
続くサブフィールドの動作は、維持期間の維持パルスの数を除いて上述の動作とほぼ同様であるため説明を省略する。以上が、本実施の形態におけるパネル１０の各電極に印加する駆動電圧波形の概要である。
【００３６】
次に、本実施の形態におけるプラズマディスプレイ装置の構成について説明する。図４は、本発明の実施の形態１におけるプラズマディスプレイ装置１の回路ブロック図である。プラズマディスプレイ装置１は、パネル１０、チューナー４１、映像信号入力回路４２、映像信号切換え回路４４、マイクロコンピューター４５、同期分離回路４６、映像信号検出回路５１、パネル１０を駆動する駆動回路を有する。駆動回路として、画像データ処理回路５０、データ電極駆動回路５２、走査電極駆動回路５３、維持電極駆動回路５４、タイミング発生回路５５および各回路ブロックに必要な電源を供給する電源回路（図示せず）を備えている。
【００３７】
チューナー４１は、外部に設置されたアンテナ４０と接続され、アンテナ４０で受信された受信信号から映像信号を取り出し、後段に出力する。
【００３８】
映像信号入力回路４２は、外部に設置された再生装置４３と接続され、再生装置４３から出力される映像信号を受け、後段に出力する。
【００３９】
映像信号切換え回路４４は、マイクロコンピューター４５からの指示により、チューナー４１から出力される映像信号または映像信号入力回路４２から出力される映像信号のいずれかを選択し、表示用の映像信号ｓｉｇとして後段に出力する。なお、マイクロコンピューター４５は、プラズマディスプレイ装置１の全体的な制御を行っており、使用者がリモートコントローラー（図示せず）等を操作することでプラズマディスプレイ装置１に与える指示を受け、例えばプラズマディスプレイ装置１の電源オン・オフやチャンネル変更等を行う。そして、使用者からの入力信号の切換え指示があったときに、その指示にもとづき、映像信号切換え回路４４の切換えを行う。
【００４０】
同期分離回路４６は、映像信号切換え回路４４から出力される映像信号から水平同期信号Ｈ、垂直同期信号Ｖを分離して取り出し、後段に出力する。
【００４１】
画像データ処理回路５０は、映像信号切換え回路４４から出力された映像信号ｓｉｇをサブフィールド毎の発光・非発光を示す画像データに変換する。
【００４２】
映像信号検出回路５１は、映像信号の有無を判断し、その結果を出力する。この動作の詳細は後述する。
【００４３】
タイミング発生回路５５は、水平同期信号Ｈ、垂直同期信号Ｖおよび映像信号検出回路５１からの出力にもとづき各回路ブロックの動作を制御する各種のタイミング信号を発生し、それぞれの回路ブロックへ供給する。
【００４４】
走査電極駆動回路５３は、初期化期間において走査電極ＳＣ１〜ＳＣｎに印加する初期化波形電圧を発生するための初期化波形発生回路６３、維持期間において維持パルス電圧を発生するための維持パルス発生回路（図示せず）、書込み期間に走査パルス電圧を発生する走査パルス発生回路（図示せず）を有し、タイミング信号にもとづいて各走査電極ＳＣ１〜ＳＣｎをそれぞれ駆動する。
【００４５】
データ電極駆動回路５２は、サブフィールド毎の画像データを各データ電極Ｄ１〜Ｄｍに対応する信号に変換し、タイミング信号にもとづいて各データ電極Ｄ１〜Ｄｍを駆動する。
【００４６】
維持電極駆動回路５４は、維持パルス発生回路６０および電圧Ｖｅ１、電圧Ｖｅ２を発生するための回路を備え、タイミング信号にもとづいて維持電極ＳＵ１〜ＳＵｎを駆動する。
【００４７】
ここで、本実施の形態では、映像信号検出回路５１において映像信号が無いと判断されたときには、タイミング発生回路５５は、その判断結果を受け、初期化電圧Ｖｉ２を電圧値の低い方のＶｉ２Ｌにして上りランプ波形電圧が発生するようにタイミング信号を発生させており、これにより、消費電力の削減を行っている。次に、この詳細について説明する。まず、映像信号検出回路５１の動作について説明し、続いて、初期化電圧Ｖｉ２を変更させる理由について説明する。
【００４８】
図５は、本発明の実施の形態１における映像信号検出回路５１の回路ブロック図である。映像信号検出回路５１は、動き検出回路７１、信号レベル検出回路７２、点灯率検出回路７３、外部入力検出回路７４、判定回路７６、メモリ７７を有する。
【００４９】
動き検出回路７１は、フレームメモリ（図示せず）により１フレーム期間遅延した映像信号ｓｉｇと現在の映像信号ｓｉｇとの差を画素毎に算出し、算出した差分とあらかじめ定めた動き検出用のしきい値との比較を行うといった、一般に用いられている動き検出を行う。なお、差分の検出は、ＲＧＢ信号で行ってもよく、あるいは輝度信号、色差信号のそれぞれで行う構成であってもよい。そして、動きがあると判断した画素数を１フレーム期間累積し、その累積した値と、あらかじめ定めた静止画判定用のしきい値とを比較し、現在の表示画像が動画か静止画かの判定を行う。
【００５０】
信号レベル検出回路７２は、映像信号ｓｉｇの信号レベルとあらかじめ定めた信号レベル比較用のしきい値との比較を画素毎に行う。なお、信号レベルの比較は、ＲＧＢ信号で行ってもよく、あるいは輝度信号、色差信号のそれぞれで行う構成であってもよい。そして、しきい値未満と判断した画素数を１フレーム期間累積し、その累積した値と、あらかじめ定めた黒画像判定用のしきい値とを比較し、現在の表示画像が全面黒かどうかの判定を行う。
【００５１】
点灯率検出回路７３は、全放電セルに対する点灯すべき放電セルの割合である点灯率を検出する。そして、検出した点灯率とあらかじめ定めた点灯率しきい値との比較を各サブフィールド毎に行う。そして、１フィールド期間の全サブフィールドで点灯率が点灯率しきい値未満かどうかの判定を行う。
【００５２】
外部入力検出回路７４は、映像信号切換え回路４４において、チューナー４１から出力される映像信号と映像信号入力回路４２から出力される映像信号とのいずれが選択されているかを検出する。
【００５３】
判定回路７６は、外部入力検出回路７４において映像信号入力回路４２からの出力が選択されていると判定したときに、動き検出回路７１の判定結果が静止画であり、かつ信号レベル検出回路７２の判定結果が全面黒であり、かつ点灯率検出回路７３の判定結果が全サブフィールドで点灯率は点灯率しきい値未満であれば、映像信号は無いという判断を下し、それ以外のときは映像信号は有るという判断を下して、その判断結果を表す信号をタイミング発生回路５５に出力する。
【００５４】
なお、上述した各しきい値は、メモリ７７にあらかじめ格納され、各検出回路により所定のタイミングで読み出される。メモリ７７は、図５に示すように、単独で用いてもよいが、マイクロコンピューターが使用するメモリ等と共用してもかまわない。以上が、映像信号検出回路５１の構成である。
【００５５】
上述したように、再生装置によっては、再生映像信号が無いときでも同期信号を出力するものがある。同期信号の有無を検出して映像信号の有無を判断する構成では、そのような再生機器を接続して使用する場合に、実際には映像信号が無いにもかかわらず映像信号が有るものと判断して通常動作を行ってしまう。
【００５６】
しかし、本実施の形態では、上述した構成とすることで、再生映像信号が無いときに同期信号だけを出力するような再生機器を接続して使用するような場合であっても、映像信号の有無を精度よく判断することが可能となる。
【００５７】
そして、本実施の形態では、通常動作のときには初期化電圧Ｖｉ２を電圧値の高い方のＶｉ２Ｈとし、判定回路７６において映像信号が無いと判断されたときには、初期化電圧Ｖｉ２を電圧値の低い方のＶｉ２Ｌにして上りランプ波形電圧を発生させ、これにより、消費電力の削減を行う。
【００５８】
再生映像信号が無く、同期信号のみがあるような場合、表示画像は全面黒となる。全面黒であれば、点灯すべき放電セルはないので、書込み放電は発生せず、維持放電も発生しない。そのため、書込みパルス電圧や維持パルス電圧の電圧値を変更しても、消費電力削減効果は低い。しかし、点灯すべき放電セルの有無にかかわらず、全セル初期化サブフィールドでは初期化放電が発生する。そのため、初期化放電を発生させるための上りランプ波形電圧の初期化電圧Ｖｉ２を下げることで、消費電力の削減効果を得ることが可能となる。
【００５９】
なお、初期化電圧Ｖｉ２をＶｉ２Ｌにすれば、Ｖｉ２Ｈにしたときと比較して、放電が不安定になる恐れがある。しかし、点灯すべき放電セルが無いので、放電が多少不安定であったとしても何ら問題は無い。
【００６０】
また、従来技術として、映像信号が無いときに駆動を完全に止めてしまう構成を説明したが、駆動を完全に止めてしまうと、駆動を再開して動作が安定するまでにある程度の時間がかかる。再生機器においては、光ディスクや磁気テープの再生が開始され再生映像信号が発生すると、再生機器からの出力は、映像信号が無い状態から映像信号が有る状態に瞬時に変化する。そのため、従来技術では、このような場合に、即座に安定した画像表示を行うことが難しい。
【００６１】
しかし、本実施の形態は、駆動を止めてしまうわけではないので、このような変化に即座に対応し、安定した画像表示を行うことができる。
【００６２】
以上述べたように、本実施の形態によれば、上述した構成とすることで映像信号検出回路５１における映像信号の有無の検出精度を高め、映像信号が無いと判断されたときには上りランプ波形電圧の初期化電圧Ｖｉ２を電圧値の高い方のＶｉ２Ｈから電圧値の低い方のＶｉ２Ｌに変更することにより、安定した動作と消費電力の削減とを両立させることが可能となる。
【００６３】
なお、本実施の形態では、初期化電圧Ｖｉ２と電圧Ｖｉ１との電位差が、電圧Ｖｉ２Ｈのときには２４０（Ｖ）、電圧Ｖｉ２Ｌのときには２００（Ｖ）になるように、電圧Ｖｉ２Ｈ、電圧Ｖｉ２Ｌをそれぞれ設定しているが、この数値は単なる一例に過ぎず、パネルの特性やプラズマディスプレイ装置の仕様等に応じて最適に設定すればよい。
【００６４】
（実施の形態２）
図６は、本発明の実施の形態２における映像信号検出回路５６の回路ブロック図である。映像信号検出回路５６は、動き検出回路７１、信号レベル検出回路７２、点灯率検出回路７３、外部入力検出回路７４、判定回路７６、メモリ７７といった図５を用いて説明した映像信号検出回路５１に加え、音声レベル検出回路７５を備えている。
【００６５】
音声レベル検出回路７５は、入力される音声レベルとあらかじめ定めた音声レベル検出用のしきい値との比較を所定の時間間隔（例えば、１ｍｓｅｃ）で行う。そして、しきい値未満と判断した結果を所定時間（例えば、１ｓｅｃ）累積し、その累積した値と、あらかじめ定めた無音声判定用のしきい値とを比較し、音声があるかどうかの判定を行う。
【００６６】
そして、判定回路７６は、外部入力検出回路７４において映像信号入力回路４２からの出力が選択されていると判定したときに、動き検出回路７１の判定結果が静止画であり、かつ信号レベル検出回路７２の判定結果が全面黒であり、かつ点灯率検出回路７３の判定結果が全サブフィールドで点灯率は点灯率しきい値未満であり、かつ音声レベル検出回路７５の判定結果が無音声であれば、映像信号は無いという判断を下し、それ以外のときは映像信号は有るという判断を下して、その判断結果を表す信号をタイミング発生回路５５に出力する。
【００６７】
この構成では、例えば、映像信号が無いと誤判断されてしまうような非常に暗い映像が連続して表示されるような場合であっても、音声を検出した場合には映像信号が有ると判断することができるので、誤判断を防止することが可能となり、映像信号の有無の検出精度をさらに高めることが可能となる。
【００６８】
なお、本発明の実施の形態では、映像信号検出回路５１、５６における動作を、回路により実現するものとして説明したが、回路を用いず、同様の動作を行うソフトウエアをマイクロコンピューター上で動作させるように構成してもかまわない。
【産業上の利用可能性】
【００６９】
以上説明したように、本発明によれば、映像信号の有無の検出精度を高め、安定した動作と消費電力の削減とを両立させることが可能となるので、プラズマディスプレイ装置の消費電力を削減する上で有用な発明である。
【図面の簡単な説明】
【００７０】
【図１】本発明の一実施の形態におけるパネルの構造を示す分解斜視図
【図２】同パネルの電極配列図
【図３】同パネルの各電極に印加する駆動電圧波形図
【図４】本発明の実施の形態１におけるプラズマディスプレイ装置の回路ブロック図
【図５】本発明の実施の形態１における映像信号検出回路の回路ブロック図
【図６】本発明の実施の形態２における映像信号検出回路の回路ブロック図
【符号の説明】
【００７１】
１０    パネル
２１    前面板
２２    走査電極
２３    維持電極
２４    表示電極対
２５，３３    誘電体層
２６    保護層
３１    背面板
３２    データ電極
３４    隔壁
３５    蛍光体層
４０    アンテナ
４１    チューナー
４２    映像信号入力回路
４３    再生装置
４４    映像信号切換え回路
４５    マイクロコンピューター
４６    同期分離回路
５０    画像データ処理回路
５１，５６    映像信号検出回路
５２    データ電極駆動回路
５３    走査電極駆動回路
５４    維持電極駆動回路
５５    タイミング発生回路
７１    動き検出回路
７２    信号レベル検出回路
７３    点灯率検出回路
７４    外部入力検出回路
７５    音声レベル検出回路
７６    判定回路
７７    メモリ
【図１】
2009145543.tif 000003
【図２】
2009145543.tif 000004
【図３】
2009145543.tif 000005
【図４】
2009145543.tif 000006
【図５】
2009145543.tif 000007
【図６】
2009145543.tif 000008